(57)【要約】【課題】人検出手段に汚れが付着する可能性のある空質環境において清浄化された空気で人検出手段部にエアカーテンを形成することで、人検出手段へのタバコのヤニやほこりの付着を抑え人検出手段の検出感度の低下を防止することができる空気清浄機を提供することを目的とする。【解決手段】制御部１１に備えた駆動手段１４によりガスセンサ５と人感センサ６の少なくとも一方の検出信号によって風路開閉手段１２を開き、人感センサ６の側に配置された第二吹出し口４から清浄化された空気を吹出し人感センサ６の前面にエアカーテンを形成することで、人感センサ６への汚れの付着を抑え人感センサ６の検出感度の低下を防止することができる空気清浄機が得られる。【選択図】図１
2014088964.tif 000002
【特許請求の範囲】
【請求項１】
吸込み口と第一吹出し口と第二吹出し口を有する本体ケースと、前記本体ケース前面には、室内の空気汚れを検出する汚れ検出手段と、室内の人の有無を検出するレンズとセンサから構成される人検出手段を備え、前記本体ケース内には前記吸込み口から前記第一吹出し口および第二吹出し口に連通する循環風路と、この循環風路に配置し前記吸込み口から吸入した空気を前記第一吹出し口および第二吹出し口から送出する送風部と、前記循環風路において通過する空気の浄化をする空気清浄部と、前記汚れ検出手段と人検出手段の検出信号をもとに前記送風部の駆動を制御する制御部を備え、前記第二の吹出し口は、前記吸込み口と人検出手段を結ぶ直線上であってこの人検出手段の側に配置し、前記循環風路に前記第二吹出し口をこの循環風路に連通させる風路開閉手段と、前記制御部に前記汚れ検出手段と前記人検出手段の少なくとも一方の検出信号によって前記風路開閉手段を開く駆動手段とを備え、前記第二の吹出し口を前記風路開閉手段の開動作によって循環風路に連通させる空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機では、本体前面に吸込み口と室内の人の有無を検出する人検出手段を備え人検出手段の検出信号に応答して風量を可変し効率よく清浄化運転するものが知られている（例えば、特許文献１参照）。
【０００３】
このような従来の空気清浄機では、室内で発生したタバコのヤニやほこりを含んだ汚れた空気を吸込み口から吸入するに従って人検出手段にタバコのヤニやほこりが付着して汚れて人検出手段の検出感度が低下するものであるが、この人検出手段の検出感度の低下を抑える方法としては、一般に人検出手段の定期的な掃除によるお手入れをすることや特許文献２のオーブンレンジの技術のように赤外線センサ部に送風しエアカーテンにより赤外線センサ部への汚れの付着を防止することなどがある。
【先行技術文献】
【特許文献】
【０００４】
【特許文献１】特開２００７−２２９０４７号公報
【特許文献２】特開２００１−５６１２４号公報
【発明の概要】
【発明が解決しようとする課題】
【０００５】
しかしながら、上記のような従来の方法では、定期的に人検出手段を掃除するものとなるため利用者に対して作業負担となり、実際には定期的に掃除されなくなることが多く、検出感度を維持できないという課題があった。また、オーブンレンジの技術のようにエアカーテンにより汚れの付着を防止する場合においても、エアカーテンを形成する送風に含まれる汚れが付着してしまうという課題や汚れが付着する如何に関わらず常時エアカーテンを形成する送風運転を行うため非効率な運転をしてしまうという課題があった。
【０００６】
そこで、本発明は、このような従来の課題を解決するものであり、人検出手段に汚れが付着する可能性のある空質環境において清浄化された空気で人検出手段部にエアカーテンを形成することで、人検出手段へのタバコのヤニやほこりの付着を抑え人検出手段の検出感度の低下を防止することを目的とする。
【課題を解決するための手段】
【０００７】
そして、この目的を達成するために、本発明の空気清浄機は、吸込み口と第一吹出し口と第二吹出し口を有する本体ケースと、前記本体ケース前面には、室内の空気汚れを検出する汚れ検出手段と、室内の人の有無を検出するレンズとセンサから構成される人検出手段を備え、前記本体ケース内には前記吸込み口から前記第一吹出し口および第二吹出し口に連通する循環風路と、この循環風路に配置し前記吸込み口から吸入した空気を前記第一吹出し口および第二吹出し口から送出する送風部と、前記循環風路において通過する空気の浄化をする空気清浄部と、前記汚れ検出手段と人検出手段の検出信号をもとに前記送風部の駆動を制御する制御部を備え、前記第二の吹出し口は、前記吸込み口と人検出手段を結ぶ直線上であってこの人検出手段の側に配置し、前記循環風路に前記第二吹出し口をこの循環風路に連通させる風路開閉手段と、前記制御部に前記汚れ検出手段と前記人検出手段の少なくとも一方の検出信号によって前記風路開閉手段を開く駆動手段とを備え、前記第二の吹出し口を前記風路開閉手段の開動作によって循環風路に連通させる空気清浄機としたものであり、これにより所期の目的を達成するものである。
【発明の効果】
【０００８】
本発明によれば、人検出手段に汚れが付着する可能性のある空質環境において清浄化された空気で人検出手段部にエアカーテンを形成することで、人検出手段へのタバコのヤニやほこりの付着を抑え人検出手段の検出感度の低下を防止することが出来る空気清浄機が得られる。
【図面の簡単な説明】
【０００９】
【図１】本発明の実施の形態１の空気清浄機の外観斜視図
【図２】同空気清浄機の断面構成図
【図３】同空気清浄機のブロック図
【図４】同空気清浄機の制御動作を示すフローチャート
【発明を実施するための形態】
【００１０】
本発明の請求項１記載の空気清浄機は、吸込み口と第一吹出し口と第二吹出し口を有する本体ケースと、前記本体ケース前面には、室内の空気汚れを検出する汚れ検出手段と、室内の人の有無を検出するレンズとセンサから構成される人検出手段を備え、前記本体ケース内には前記吸込み口から前記第一吹出し口および第二吹出し口に連通する循環風路と、この循環風路に配置し前記吸込み口から吸入した空気を前記第一吹出し口および第二吹出し口から送出する送風部と、前記循環風路において通過する空気の浄化をする空気清浄部と、前記汚れ検出手段と人検出手段の検出信号をもとに前記送風部の駆動を制御する制御部を備え、前記第二の吹出し口は、前記吸込み口と人検出手段を結ぶ直線上であって人検出手段の側に配置し、前記循環風路に前記第二吹出し口をこの循環風路に連通させる風路開閉手段と、前記制御部に前記汚れ検出手段と前記人検出手段の少なくとも一方の検出信号によって前記風路開閉手段を開く駆動手段とを備え、前記第二の吹出し口を前記風路開閉手段の開動作によって循環風路に連通させる構成を有する。
【００１１】
これにより、駆動手段は、汚れ検出手段が汚れを検出した場合または人検出手段が人を検出した場合、またはその両方において風路開閉手段を開き、空気清浄部にて清浄化された空気を第二吹出し口から送出させることとなるので、吹出し風によるエアカーテン効果で人検出手段を吸込み口から吸入されるタバコのヤニやほこりを含んだ汚れた空気から遮断し、人検出手段にタバコのヤニやほこりが付着し汚れて人検出手段の検出感度が低下することを防止できる。
【００１２】
以下、本発明の実施の形態について図面を参照しながら説明する。
【００１３】
（実施の形態１）
図１に示すように、空気清浄機の本体ケース１は略箱形に形成され、本体ケース１の前面には室内の空気を吸入する吸込み口２と、清浄化された空気を室内に吹出す第一吹出し口３、第二吹出し口４と、室内の空気の汚れを検出する汚れ検出手段としてのガスセンサ５と、室内の人の有無を検出する人検出手段としての人感センサ６とを備えている。
【００１４】
吸込み口２は、本体ケース１の前面にあって、床上付近の汚れた空気や空気中に浮遊する汚れた空気を前面のより広い範囲から吸入できるように本体ケース１の前面中央部にパネル７を備え、その端面部に縁取りをするがごとくスリット状に形成している。
【００１５】
人感センサ６は室内にいる人を検出できるように本体の正面である本体ケース１の前面であってパネル７の外側に配置している。
【００１６】
そして、第二吹出し口４は、吸込み口２と人感センサ６を最短で結ぶ直線上であってこの人感センサ６の側に配置している。
【００１７】
第一吹出し口３は室内の空気を効率よく循環できるように吸込み口２とは異なる面の一つとして上面に配置している。
【００１８】
また、本体ケース１内には吸込み口２から吸入した空気を清浄化する空気清浄部としてのフィルター８と、吸込み口２から吸入した空気をフィルター８に通風し第一吹出し口３および第二吹出し口４から送出する送風部としてのファンモーター９を備えている。
【００１９】
図２は空気清浄機の断面構成図である。
【００２０】
図２に示すように、本体ケース１内には吸込み口２から第一吹出し口３および第二吹出し口４に連通する循環風路１０と、ファンモーター９の駆動を制御する制御部１１と、第二吹出し口４を循環風路１０に連通させる風路開閉手段１２を備えている。
【００２１】
風路開閉手段１２は、循環風路１０の第一吹出し口３手前に配置している。
【００２２】
また、循環風路１０には、この循環風路１０から分岐して第二吹出し口４へ連通する分岐風路１３を備え、その分岐箇所に風路開閉手段１２を配置している。
【００２３】
図３は空気清浄機のブロック図である。
【００２４】
図３に示すように、制御部１１はガスセンサ５および人感センサ６の検出信号をもとにファンモーター９の駆動を制御している。
【００２５】
また、制御部１１内にはガスセンサ５および人感センサ６の少なくとも一方の検出信号によって風路開閉手段１２を開く駆動手段１４を備えている。
【００２６】
上記構成において、駆動手段１４が風路開閉手段１２を開く動作について図４に示すフローチャートを用いて説明する。
【００２７】
空気清浄機運転中（Ｓ１）にガスセンサ５は室内の空気の汚れをセンシングし（Ｓ２）、人感センサ６は室内の人の有無をセンシングしている（Ｓ５）。ガスセンサ５による汚れの検出と人感センサ６による人の検出の少なくとも一方の検出があると、駆動手段１４は駆動をＯＮし（Ｓ３）、風路開閉手段１２が開く（Ｓ４）。
【００２８】
これにより、循環風路１０と第二吹出し口４が連通し、吸込み口２から吸入されフィルター８で清浄化された空気の一部が第二吹出し口４から吹出され、本体ケース１の前面から前方に向けた吹出し風によるエアカーテンが形成される。
【００２９】
したがって、この第二吹出し口４からの吹出し風によるエアカーテンにより人感センサ６を吸込み口２から吸入されるタバコのヤニやほこりを含んだ汚れた空気から遮断し、人感センサ６にタバコのヤニやほこりが付着し汚れて人感センサ６の検出感度が低下することを防止できる。
【００３０】
そして、ガスセンサ５による汚れの検出と人感センサ６による人の検出のどちらも無い場合は、駆動手段１４は駆動をＯＦＦし（Ｓ６）、風路開閉手段１２は閉じる（Ｓ７）。
【００３１】
これにより、吸込み口２から吸入される空気にタバコのヤニやほこりが含まれてなく人感センサ６に汚れが付着する可能性が低い場合は第一吹出し口３からのみ吹出し風を送出する。
【００３２】
したがって、駆動手段１４をＯＦＦし無駄な電力消費を抑え、第一吹出し口からのみ吹出し風を送出し室内の空気の循環を優先するので使用環境に合わせた効率の良い運転を行うことができる。
【産業上の利用可能性】
【００３３】
本発明にかかる空気清浄機は、センサへの汚れの付着を抑え検出感度の低下を防止できるものであり、センサを備えた加湿空気清浄機や空気調和機にも適用できる。
【符号の説明】
【００３４】
１  本体ケース
２  吸込み口
３  第一吹出し口
４  第二吹出し口
５  ガスセンサ
６  人感センサ
７  パネル
８  フィルター
９  ファンモーター
１０  循環風路
１１  制御部
１２  風路開閉手段
１３  分岐風路
１４  駆動手段
【図１】
2014088964.tif 000003
【図２】
2014088964.tif 000004
【図３】
2014088964.tif 000005
【図４】
2014088964.tif 000006